(57)【要約】      （修正有）【課題】残渣の除去や製造、改造が容易で、機械的信頼性が高いポンプ、及びそれを備えた厨芥処理装置を提供する。【解決手段】上流側の装置から流入する液体を吸い込む吸込室２と、下流側の装置に向けて前記液体を吐出する吐出室３と、前記液体を吸込室２から吐出室３に送出する送出手段５と、送出手段５より下方にあって、吸込室２と吐出室３を区画する隔壁４に開口する開口１２と、開口１２を開閉する開閉弁を備えるポンプ１において、前記開閉弁は、開口１２と嵌合して開口１２を閉塞する栓体１３と、一端が栓体１３に連結されて、他端がポンプ１の外部に露出するシャフト１４とからなる。開閉弁を栓体とシャフトで構成しているので、残渣が開閉弁に絡まることが少なく、機械的信頼性が向上する。また、構造が簡単であり、既存のポンプから容易に改造できる。【選択図】図１
0003184699.tif 000002
【実用新案登録請求の範囲】
【請求項１】
上流側の装置から流入する液体を吸い込む吸込室と、下流側の装置に向けて前記液体を吐出する吐出室と、前記液体を前記吸込室から前記吐出室に送出する送出手段と、
前記送出手段より下方にあって、前記吸込室と前記吐出室を区画する隔壁に開口する開口と、
前記開口を開閉する開閉弁を備えるポンプにおいて、
前記開閉弁は、
前記開口と嵌合して前記開口を閉塞する栓体と、
一端が前記栓体に連結されて、他端が前記ポンプの外部に露出するシャフトとからなる
ことを特徴とするポンプ。
【請求項２】
前記ポンプの筐体に開口して、前記ポンプの内部と外部を連絡する掃除用開口と、
前記掃除用開口を閉塞する蓋体を備え、
前記シャフトは前記蓋体に摺動自在に支持されている
ことを特徴とする請求項１に記載のポンプ。
【請求項３】
前記掃除用開口は、前記吐出室と前記ポンプの外部を連絡する
ことを特徴とする請求項２に記載のポンプ。
【請求項４】
厨芥に水を加えて破砕してスラリーを生成して排出するディスポーザーと、
請求項１乃至請求項３の何れか一項に記載のポンプを備え、
前記ポンプは、前記ディスポーザーに接続されて、前記ディスポーザーから排出されるスラリーを下流側の装置に向けて送出する厨芥処理装置。
【考案の詳細な説明】
【技術分野】
【０００１】
本考案は、スラリー輸送用のポンプ及び該ポンプを備える厨芥処理装置に関する。
【背景技術】
【０００２】
ケーシングと、図示しない電動機とギア装置に接続されてケーシングの中で互いに逆方向に同期回転する２個の繭型ロータを備えるルーツポンプが知られている（例えば、特許文献１，２，３、非特許文献１）。
【０００３】
本願の出願人は、ディスポーザーから排出されるスラリーを、ルーツポンプを使って外部に送出する厨芥処理装置の発明（以下、「先の発明」と言う）を特許出願していて、該出願は既に公開されている（特許文献４）。
【０００４】
該出願に係る発明は、ディスポーザーから排出されるスラリー中の固形物の一部、例えば、野菜等に付着していた砂粒や、貝殻を粉砕した粉などの比較的に比重の大きい成分（以下、「残渣」という）がルーツポンプの底に沈殿して、ルーツポンプの機能を害することに鑑みて、発明されたものであり、残渣の排出を容易にすることを目的としている。該発明は、ルーツポンプの送出手段（つまり２個の繭型ロータが配置されたケーシング）より下方の、吸込室と吐出室を区画する隔壁に開口する開口と、前記開口を開閉する開閉弁を備えることを特徴としていて、必要に応じて開閉弁を開放して、吐出室から吸込室に逆流する流れを発生させて、ルーツポンプの底に沈殿した残渣を巻き上げて、排出を促している。
【先行技術文献】
【特許文献】
【０００５】
【特許文献１】特開２００６−２８３６６５号公報
【特許文献２】特開２０００−１７９４８２号公報
【特許文献３】特開平０８−３０３３５５号公報
【特許文献４】特開２０１１−１８５２０４号公報
【非特許文献】
【０００６】
【非特許文献１】「アンレットルーツ型ポンプ」（株式会社アンレット  製品カタログ  Ｋ−００９−９３．６ＤＳ）
【考案の概要】
【考案が解決しようとする課題】
【０００７】
特許文献４に開示されたルーツポンプの開閉弁は、ヒンジ軸回りに動揺動する弁体を備えて、ルーツポンプの筐体の側壁に穴を開けて、該ヒンジ軸の一部を露出させている。そして、該ヒンジ軸の筐体の外部に露出する部分にレバーを取りつけて、該レバーで開閉弁をポンプの外から操作するようにしている。
【０００８】
しかしながら、このように構成された開閉弁においては、ポンプの運転中に、残渣が開閉弁の弁体や操作軸の隙間に侵入して、開閉弁の動作を妨げたり、損傷させたりする危険がある。そのために、該開閉弁は機械的信頼性が余り高くないという問題がある。また、既存のポンプを改造して、該開閉弁を取り付けることは容易ではないし、新規にこのようなポンプを製作する場合は、加工や組み立てに手間がかかるのでコスト高を招くという問題がある。
【０００９】
本考案は、このような事情に鑑みてなされたものであり、残渣の除去が容易なポンプであって、製造や改造が容易で、機械的信頼性が高いポンプを提供することを目的とする。また、前記ポンプを備える厨芥処理装置を提供することを目的とする。
【課題を解決するための手段】
【００１０】
上記課題を解決するため、本考案に係るポンプは、上流側の装置から流入する液体を吸い込む吸込室と、下流側の装置に向けて前記液体を吐出する吐出室と、前記液体を前記吸込室から前記吐出室に送出する送出手段と、前記送出手段より下方にあって、前記吸込室と前記吐出室を区画する隔壁に開口する開口と、前記開口を開閉する開閉弁を備えるポンプにおいて、前記開閉弁は、前記開口と嵌合して前記開口を閉塞する栓体と、一端が前記栓体に連結されて、他端が前記ポンプの外部に露出するシャフトとからなることを特徴とする。
【００１１】
前記ポンプの筐体に開口して、前記ポンプの内部と外部を連絡する掃除用開口と、前記掃除用開口を閉塞する蓋体を備え、前記シャフトは前記蓋体に摺動自在に支持されているようにしても良い。
【００１２】
前記掃除用開口は、前記吐出室と前記ポンプの外部を連絡するものであっても良い。
【００１３】
本考案に係る厨芥処理装置は、厨芥に水を加えて破砕してスラリーを生成して排出するディスポーザーと、前記ポンプを備え、前記ポンプは、前記ディスポーザーに接続されて、前記ディスポーザーから排出されるスラリーを下流側の装置に向けて送出するものである。
【考案の効果】
【００１４】
本考案によれば、残渣を排出するための専用の配管等を必要としないので、ポンプ及び厨芥処理装置を簡単でコンパクトに纏めることができる。また、残渣は下流側の装置に排出されるので、ポンプ及び厨芥処理装置の周辺を汚すことがない。また、開閉弁を栓体とシャフトで構成しているので、残渣が開閉弁に絡まることが少なく、それに起因する故障が少なくなる。その結果、ポンプ及び厨芥処理装置の機械的信頼性が向上する。
【００１５】
また、本考案に係るポンプは、構造が簡単であり、既存のポンプから改造することができるので、ポンプメーカだけでなく、セットメーカやユーザにおいても容易に製造できる。その結果、ポンプ及び厨芥処理装置を安価に提供できる。
【００１６】
また、本考案に係る厨芥処理装置は、ポンプの回りに残渣排出用の配管等を必要としないので、コンパクトに纏めることができ、シンク台の下等での配置が容易になる。その結果、厨芥処理装置の配置についての自由度が大きくなる。
【図面の簡単な説明】
【００１７】
【図１】本考案の実施形態の一例を示すポンプを一部断面図示して、その構成を説明する図であり、（ａ）は開口を閉塞した状態を、（ｂ）は開口を開放した状態をそれぞれ示す。
【図２】栓体、シャフト及びキャップの詳細を示す図であり、（ａ）は外形図であり、（ｂ）はキャップを断面図示した外形図である。
【図３】厨芥処理装置の構成図である。
【考案を実施するための形態】
【００１８】
以下、本考案を実施するための形態を、適宜、図面を参照しながら説明する。
【００１９】
図１は、本考案の実施形態を示すポンプ１を一部断面図示して、その構成を説明する図である。
【００２０】
図１に示すように、ポンプ１は吸込室２と吐出室３を有し、吸込室２と吐出室３は隔壁４によって、区画されている。また、吸込室２と吐出室３の間には送出手段５を備えている。送出手段５は、一般にルーツポンプと呼ばれる周知のポンプであり、ケーシング６と、ケーシング６の中で互いに逆方向に回転する２個の繭型ロータ７で構成される。なお、繭型ロータ７は、図示しない電動機とギア装置によって駆動される。
【００２１】
吸込室２は吸込フランジ８を介して図示しない上流側装置（例えば、ディスポーザー）の排出口に接続されて、液体（例えば、ディスポーザーから排出されるスラリー）が流入する。吸込室２に流入した液体は、送出手段５で加圧されて吐出室３に流入する。吐出室３は吐出フランジ９を介して図示しない吐出管に接続され、吐出室３に流入した液体は該吐出管を通って、図示しない下流側装置（例えば、浄化槽や固液分離装置などの排水処理装置）に送出される。
【００２２】
また、吸込室２と吐出室３にはそれぞれ、掃除用開口が開けられていて、該掃除用開口にはキャップ１０，１１が着脱自在に取り付けられていて、水密を保っている。また、隔壁４の送出手段５の下方の部位には、開口１２が開けられている（図１（ｂ））。ポンプ１に通常の運転をさせる場合には、開口１２は栓体１３で水密に閉塞される（図１（ａ））。
【００２３】
また、ポンプ１に通常の運転をさせる場合には、上流側装置から吸込フランジ８を通って、吸込室２に流入した液体は送出手段５で加圧されて吐出室３に流入するが、液体に含まれる残渣ｄの一部は吸込室２と吐出室３の底に沈殿する。
【００２４】
吸込室２と吐出室３の底に沈殿した残渣ｄを除去する場合は、図１（ｂ）に示すように、シャフト１４を吐出室３から引き出して、栓体１３を開口１２から外して、開口１２を開放する。そして、清浄な、つまり残渣ｄを含まない水を、上流側装置から吸込フランジ８を通して吸込室２に流入させる。吸込室２に流入した清浄な水は送出手段５で加圧されて吐出室３に流入し、吐出フランジ９を通って外部に排出される。この時、開口１２は開放されているから、吐出室３にある水が開口１２を通って吸込室２に逆流する流れが生じる。吸込室２と吐出室３の底に沈殿した残渣ｄは、この流れによって巻き上げられて、吸込室２から送出手段５を通って吐出室３に流入し、吐出フランジ９を通って外部に排出される。  
【００２５】
なお、栓体１３の素材は、特に限定されないが、例えばゴムや合成樹脂材料であって、開口１２に馴染んで開口１２に密着するような弾性と、吸込室２と吐出室３の間の圧力差によって生じる荷重に耐えられるような強度を有する素材が選ばれる。また、栓体１３はステンレス鋼製のシャフト１４の一方端に取り付けられている。シャフト１４はキャップ１１に摺動自在に取り付けられて、キャップ１１を貫通して、他端がキャップ１１の外側に突出している。そして、その他端には把手１５が取り付けられている。そのため、把手１５を掴んで、シャフト１４を図の左右方向に動かすことによって、栓体１３を開口１２に対して嵌脱することができる。つまり開口１２を開閉することができる。
【００２６】
次に図２を参照しながら、シャフト１４とキャップ１１の詳細な構成を説明する。前述したように、シャフト１４の一方端には栓体１３が固定され、他方端には把手１５が固定されている。キャップ１１は、大径部１１ａと小径部１１ｂを有し、小径部１１ｂには雄ねじ１１ｃが刻まれていて、掃除用開口に刻まれた雌ねじ（図１において図示せず）と螺合する。また小径部１１ｂの大径部１１ａと接する端部にはＯリング１１ｄが取り付けられていて、キャップ１１とポンプ１の間の水密性を確保する。また、キャップ１１には、大径部１１ａと小径部１１ｂを貫通する貫通穴１１ｅがあって、シャフト１４は貫通穴１１ｅに挿通される。また、貫通穴１１ｅの両端において、貫通穴１１ｅとシャフト１４の間にはＯリング１１ｆ、１１ｇが取り付けられていて、貫通穴１１ｅとシャフト１４の間の水密性を確保している。
【００２７】
なお、前述したように、キャップ１１は吐出室３において既存の掃除用開口に取り付けられる部品であり、キャップ１１を取り付けるためにポンプ１に加工を加える必要はない。また、既存のポンプ１に本発明を適用する場合には、開口１２を開ける必要があるが、掃除用開口から工具を挿入することができるので、加工は非常に容易である。
【００２８】
また、厨芥処理装置２１は図３に示すように構成される。厨芥処理装置２１は、厨房用シンク台２２のシンク２３の下方に配置され、ポンプ１とディスポーザー２４から構成され、ポンプ１は電動機２５によって駆動される。厨房用シンク台２２には給水管２６が取り付けられて、シンク２３に上水を供給する。また、給水管２６はバルブ２７を備えて、シンク２３への給水を、発停できる。
【００２９】
厨芥を処理する場合は、バルブ２７を開いて、シンク２３に上水を供給しながら、シンク２３に厨芥を投入して、ディスポーザー２４とポンプ１を運転する。上水と厨芥はディスポーザー２４に流入し、ディスポーザー２４は厨芥を粉砕してスラリーを生成する。生成されたスラリーはポンプ１に流入し、ポンプ１はスラリーを加圧して、図示しない排水処理装置に排出する。
【００３０】
ポンプ１に溜まった残渣を排出する場合は、ディスポーザー２４を停止した状態で、バルブ２７を開いて、ポンプ１を運転し、把手１５を図の左方向に引いて、開口１２（図３において図示せず）を開放する。この時、ポンプ１の内部に沈殿していた残渣は、前述したように、開口１２を通る流れによって巻き上げられて、図示しない下流側の装置（例えば公共下水道）に排出される。
【００３１】
以上、説明したように本考案によれば、残渣を排出するための専用の配管等を必要としないので、ポンプを簡単でコンパクトに纏めることができる。また、残渣は下流側の装置に排出されるので、ポンプの周辺を汚すことがない。そのため、使い勝手の良いポンプが実現できる。
【００３２】
本考案に係るポンプは、既存のポンプから改造することができるので、安価に製造することができる。また、ポンプメーカだけでなく、セットメーカやユーザにおいても製造することができる。
【００３３】
また、本考案に係る厨芥処理装置は残渣を排出するための専用の配管等を必要としないので、構造を簡単でコンパクトに纏めることができる。また、残渣は公共下水道等に排出されるので、厨芥処理装置の設置場所の床等を汚すことがない。
【００３４】
なお、上記の実施形態は、本考案の具体的実施態様の一例を示すものであって、本考案の技術的範囲を画すものではない。本発明は実用新案登録請求の範囲に記述された技術的思想の限りにおいて、自由に変形、応用あるいは改良して実施することができる。
【００３５】
上記実施形態では、栓体１３の進退（開口１２の開閉）を手動で行う例を示したが、本考案の技術的範囲は、栓体１３を手動で進退させるものには限定されない。例えば、栓体１３を進退させるアクチュエータと、該アクチュエータを遠隔操作する操作器を備えれば、作業者が体を屈めて、ポンプ１に接近する必要が無くなるので、ポンプ１あるいは厨芥処理装置２１の操作性が向上する。また、所定のプログラムがインストールされたコンピュータを厨芥処理装置２１に備えて、そのコンピュータの指令で該アクチュエータとバルブ２７が動作するようにして、前述の残渣除去の手順を自動的に実行するようにしてもよい。  
【００３６】
また、上記実施形態では、送出手段の具体例として、繭型ロータ７を備えるルーツポンプを例示したが、本考案の技術的範囲は、このようなルーツポンプを備えるものには限定されない。ロータの形状は繭型には限られないし、ルーツポンプ以外の送出手段を選ぶこともできる。つまり、ルーツポンプ以外の送出手段を備えるポンプに、本考案を適用することができる。
【００３７】
また、上記実施形態では、栓体１３を吐出室３から開口１２に差し込む形式を示したが、栓体１３は吸込室２から開口１２に差し込まれるものであっても良い。つまり、シャフト１４が吸込室２内に配置されて、吸込室２側の掃除用開口のキャップ１０を貫通するようにしても良い。
【００３８】
また、栓体１３を開口１２に嵌合させた時に、シャフト１４をその位置に保持する手段を備えてもよい。例えば、シャフト１４に雄ネジを、キャップ１１に雌ネジを、それぞれ形成して、図１（ａ）に示す状態において、前記雄ネジと雌ネジが螺合するようにしてもよい。
【００３９】
また、上記実施形態では、シャフト１４がキャップ１１に摺動自在に支持されてキャップ１１を貫通する例を示したが、シャフト１４がポンプ１の筐体を貫通するようにして、筐体に摺動自在に支持されるようにしてもよい。あるいはキャップ１１以外の部品に支持されてもよい。
【００４０】
また、上記実施形態では、ポンプ１をディスポーザー２４から排出される厨芥スラリーを輸送する手段として使用する例を示したが、本考案の技術的範囲はポンプの用途や、輸送対象の物質によっては限定されない。本考案は、残渣の沈殿が予想される各種の物質、例えば、もろみ、海苔、陶土、釉薬、汚泥などを輸送する、ポンプに適用することができる。
【００４１】
また、上記実施形態では、厨芥処理装置２１から排出される厨芥スラリーを排水処理装置に接続することを例示し、排水処理装置の具体例として浄化槽や固液分離装置を挙げているが、本考案の技術的範囲は、厨芥処理装置の下流に接続される装置や施設によっては限定されない。本考案に係る厨芥処理装置は、例えば、スラリーを公共下水道に直接排出するものであってもよい。
【符号の説明】
【００４２】
１  ポンプ
２  吸込室
３  吐出室
４  隔壁
５  送出手段
６  ケーシング
７  繭型ロータ
８  吸込フランジ
９  吐出フランジ
１０  キャップ
１１  キャップ
１１ａ  大径部
１１ｂ  小径部
１１ｃ  雄ねじ
１１ｄ  Ｏリング
１１ｅ  貫通穴
１１ｆ  Ｏリング
１１ｇ  Ｏリング
１２  開口
１３  栓体
１４  シャフト
１５  把手
２１  厨芥処理装置
２２  厨房用シンク台
２３  シンク
２４  ディスポーザー
２５  電動機
２６  給水管
２７  バルブ
【図１】
0003184699.tif 000003
【図２】
0003184699.tif 000004
【図３】
0003184699.tif 000005